(57)【要約】【課題】手軽に美容施術等に使用する電圧を増加させる。【解決手段】ステレオ信号を発生させる信号発生手段と、前記信号発生手段により発生したステレオ信号を用いて美容施術を行う美容施術手段とを有する美容機器であって、前記信号発生手段は、互いに逆相関係となる右信号及び左信号の波形を生成する波形生成手段と、前記波形生成手段により生成された波形を端子から出力する波形出力手段とを有することにより上記課題を解決する。【選択図】図２
2013099478.tif 000002
【特許請求の範囲】
【請求項１】
ステレオ信号を発生させる信号発生手段と、前記信号発生手段により発生したステレオ信号を用いて美容施術を行う美容施術手段とを有する美容機器であって、
前記信号発生手段は、
互いに逆相関係となる右信号及び左信号の波形を生成する波形生成手段と、
前記波形生成手段により生成された波形を端子から出力する波形出力手段とを有することを特徴とする美容機器。
【請求項２】
前記美容施術手段は、
前記波形出力手段から出力された右信号と左信号との差分の信号により所定の美容施術を行うことを特徴とする請求項１に記載の美容機器。
【請求項３】
前記波形生成手段は、
オーディオファイルから前記右信号及び左信号の波形を生成することを特徴とする請求項１又は２に記載の美容機器。
【請求項４】
前記所定の美容施術は、イオン導入を含むことを特徴とする請求項２に記載の美容機器。
【請求項５】
ステレオ信号を発生させる信号発生手段と、前記信号発生手段により発生したステレオ信号を用いて美容施術を行う美容施術手段とを有する美容機器における美容方法であって、
前記信号発生手段により、
互いに逆相関係となる右信号及び左信号の波形を生成する波形生成手順と、
前記波形生成手順により生成された波形を端子から出力する波形出力手順とを有することを特徴とする美容方法。
【請求項６】
前記美容施術手段により、
前記波形出力手順で出力された右信号と左信号との差分の信号により所定の美容施術を行うことを特徴とする請求項５に記載の美容方法。
【請求項７】
前記波形生成手順は、
オーディオファイルから前記右信号及び左信号の波形を生成することを特徴とする請求項５又は６に記載の美容方法。
【請求項８】
前記所定の美容施術は、イオン導入を含むことを特徴とする請求項６に記載の美容方法。
【請求項９】
ステレオ信号を発生させる信号発生手段を有し、前記信号発生手段により発生したステレオ信号を出力する情報処理装置であって、
前記信号発生手段は、
互いに逆相関係となる右信号及び左信号の波形を生成する波形生成手段と、
前記波形生成手段により生成された波形を端子から出力する波形出力手段とを有することを特徴とする情報処理装置。
【請求項１０】
前記波形生成手段は、
オーディオファイルから前記右信号及び左信号の波形を生成することを特徴とする請求項９に記載の情報処理装置。
【請求項１１】
コンピュータを、
請求項９又は１０に記載された情報処理装置が有する各手段として機能させるための情報処理プログラム。
【発明の詳細な説明】
【技術分野】
【０００１】
本発明は、美容機器、美容方法、情報処理装置、及び情報処理プログラムに関する。
【背景技術】
【０００２】
従来では、ユーザの皮膚等に対して何らかの信号（例えば、電流等）を与えることで、皮膚等を適切な状態へと導く各種の方法が知られている。例えば、美容方法の一例としては、皮膚に微弱な電流を流すことで、例えば水溶性の有効成分を皮膚内に効果的に導入するイオン導入法等が知られている。
【０００３】
例えば、皮膚の角質層には、異物の侵入を防ぐバリア機能がある。したがって、単に化粧水を皮膚に塗布しても化粧水に配合される水溶性のビタミンＣ等は、このバリア機能により浸透を阻止され、皮膚の深層まで浸透されにくい。しかしながら、上述したイオン導入法によれば、電気の力を利用することにより、化粧水中の有効成分を、バリア層を超えて皮膚の深層まで浸透させることができる。
【０００４】
なお、従来では、上述したような美容施術をユーザ自らが行うための専用の美容機器が知られている（例えば、特許文献１参照）。
【先行技術文献】
【特許文献】
【０００５】
【特許文献１】特許第４２１７９８４号公報
【発明の概要】
【発明が解決しようとする課題】
【０００６】
しかしながら、上述した特許文献１に示されているような専用の美容機器等は、比較的高価であり、容易に手に入れにくい。
【０００７】
そこで、専用の美容機器の代替手段として、例えば、携帯電話、ＰＣ（Ｐｅｒｓｏｎａｌ  Ｃｏｍｐｕｔｅｒ）、ＰＤ（Ｐｏｒｔａｂｌｅ  Ｄｅｖｉｃｅ）、ＰＤＡ（Ｐｅｒｓｏｎａｌ  Ｄａｔａ  Ａｓｓｉｓｔａｎｔ）、ゲーム機等の情報処理装置等を利用することが考えられる。しかしながら、この場合には、予め規格等により情報処理装置から出力される信号の電圧値等に制限が設けられているため、専用の美容機器等と比較して出力電圧の値が小さく、適切な美容施術を行いにくい。
【０００８】
本発明は、上記の課題に鑑みてなされたものであり、手軽に美容施術等に使用する電圧を増加させる美容機器、美容方法、情報処理装置、及び情報処理プログラムを提供することを目的とする。
【課題を解決するための手段】
【０００９】
本発明は、上記目的を達成するために、ステレオ信号を発生させる信号発生手段と、前記信号発生手段により発生したステレオ信号を用いて美容施術を行う美容施術手段とを有する美容機器であって、前記信号発生手段は、互いに逆相関係となる右信号及び左信号の波形を生成する波形生成手段と、前記波形生成手段により生成された波形を端子から出力する波形出力手段とを有することを特徴とする。
【００１０】
また、本発明は、ステレオ信号を発生させる信号発生手段と、前記信号発生手段により発生したステレオ信号を用いて美容施術を行う美容施術手段とを有する美容機器における美容方法であって、前記信号発生手段により、互いに逆相関係となる右信号及び左信号の波形を生成する波形生成手順と、前記波形生成手順により生成された波形を端子から出力する波形出力手順とを有することを特徴とする。
【００１１】
また、本発明は、ステレオ信号を発生させる信号発生手段を有し、前記信号発生手段により発生したステレオ信号を出力する情報処理装置であって、前記信号発生手段は、互いに逆相関係となる右信号及び左信号の波形を生成する波形生成手段と、前記波形生成手段により生成された波形を端子から出力する波形出力手段とを有することを特徴とする。
【００１２】
また、本発明は、コンピュータを、上述した情報処理装置が有する各手段として機能させるための情報処理プログラムである。
【発明の効果】
【００１３】
本発明によれば、手軽に美容施術等に使用する電圧を増加させることを可能とする。
【図面の簡単な説明】
【００１４】
【図１】本実施形態に係る美容機器の一例を示す図である。
【図２】美容機器の機能構成の一例を示す図である。
【図３】情報処理手段を実現するハードウェア構成の一例を示す図である。
【図４】オーディオファイルのステレオ信号について説明するための図である。
【図５】オーディオファイルの作成手順の一例を説明するための図である。
【図６】交流矩形波の場合に皮膚を介して各電極に生じる出力電圧について説明するための図である。
【図７】直流の場合に皮膚を介して各電極に生じる出力電圧を説明するための図である。
【発明を実施するための形態】
【００１５】
以下、本発明の実施の形態について詳細に説明する。
【００１６】
＜美容機器について＞
図１は、本実施形態に係る美容機器の一例を示す図である。なお、図１（Ａ）は、情報処理手段に接続された美容施術手段の一例を示し、図１（Ｂ）は、美容施術手段における電極パッド及びマスクと、皮膚との関係を示す図である。
【００１７】
図１（Ａ）に示すように、美容機器１０は、情報処理手段２０と、美容施術手段３０とを有するように構成される。
【００１８】
情報処理手段２０は、例えばステレオ信号を発生させて、発生させたステレオ信号を出力する。なお、本実施形態における情報処理手段２０としては、例えばｉＰｈｏｎｅ（登録商標）、スマートフォン等の携帯電話、ＰＤＡ、ｉＰｏｄ（登録商標）、ｉＰａｄ（登録商標）等のＰＤや、ＰＣ等の情報処理装置を用いることができるが、本発明においてはこれに限定されるものではない。
【００１９】
美容施術手段３０は、電極パッド３１と、薬液等の有効成分を含浸するマスク３２とを有するように構成される。美容施術手段３０は、情報処理手段２０から出力されたステレオ信号を用いて、ユーザ（被施術者）に対してイオン導入等の美容施術を行う。
【００２０】
電極パッド３１は、カーボンシート電極３３を有するように構成される。
【００２１】
カーボンシート電極３３は、例えばオーディオケーブル３４等を介して、情報処理手段２０のイヤホン端子、Ｄｏｃｋ端子、ＵＳＢ（Ｕｎｉｖｅｒｓａｌ  Ｓｅｒｉａｌ  Ｂｕｓ）端子等の音声出力端子に接続される。なお、Ｄｏｃｋ端子は、上述した情報処理装置であるｉＰｈｏｎｅやｉＰｏｄ等に設けられている端子であり、例えば外付けのスピーカー等に音声を出力することが可能である。
【００２２】
ここで、図１（Ａ）に示す美容施術手段３０を用いてイオン導入を行う場合には、図１（Ｂ）に示すように、ユーザの顔（皮膚）４０上に、マスク３２を配置し、マスク３２上に、電極パッド３１のカーボンシート電極３３Ａ及びカーボンシート電極３３Ｂを配置する。
【００２３】
カーボンシート電極３３Ａ及びカーボンシート電極３３Ｂには、情報処理手段２０から出力されたＬ（左）信号及びＲ（右）信号がそれぞれ供給される。カーボンシート電極３３Ａ及びカーボンシート電極３３ＢにＬ信号及びＲ信号が供給されると、マスク３２に含まれている薬液等が、皮膚４０を介して、カーボンシート電極３３Ａ及びカーボンシート電極３３Ｂ間を流れる微弱な電流による電荷反発によって浸透促進される。これにより、ユーザへのイオン導入を行うことが可能となる。
【００２４】
なお、美容施術としては、例えば電気的刺激により筋肉を鍛えてたるみ等に効果があるＥＭＳ（Ｅｌｅｃｔｒｉｃａｌ  Ｍｕｓｃｌｅ  Ｓｔｉｍｕｌａｔｉｏｎ）を用いても良く、低周波治療としては、マスク３２の代わりに通電性のゲルを電極パッド３１に貼付して施術を行っても良い。
【００２５】
＜美容機器１０の機能構成＞
次に、図２を用いて、上述した美容機器１０の機能構成について説明する。図２は、美容機器の機能構成の一例を示す図である。
【００２６】
図２に示すように、美容機器１０は、情報処理手段２０と、美容施術手段３０とを有するように構成される。情報処理手段２０は、入力手段４１と、出力手段４２と、記録手段４３と、信号発生手段４４と、画面生成手段４５と、ネットワーク接続手段４６と、制御手段４７とを有するように構成される。美容施術手段３０は、情報処理手段２０の出力手段４２を介して、信号発生手段４４と接続される。
【００２７】
入力手段４１は、例えば携帯電話、スマートフォン等の操作キーや、ＰＣ等のキーボードやマウス等のポインティングデバイス等からなる。入力手段４１は、ユーザ等からの各種指示の開始、終了等の入力を受け付ける。また、入力手段４１は、例えばマイク等の音声入力端子から構成されても良い。
【００２８】
出力手段４２は、例えばディスプレイ等の表示画面からなる。出力手段４２は、入力手段４１により入力された内容や、入力内容に基づいて実行された内容を表示する。また、出力手段４２は、スピーカーやイヤホン等に音声を出力するための音声出力端子（イヤホン端子、オーディオ端子）等からなり、音声等を出力する。
【００２９】
なお、音声出力端子としては、上述したように、外付けのスピーカー等に音声を出力することが可能なＤｏｃｋ端子や、ＰＣ等に備えられるＵＳＢ端子等を含めることができる。これにより、例えば、オーディオ端子、Ｄｏｃｋ端子、及びＵＳＢ端子のうち、一又は複数の音声出力端子を用いて、後述する美容施術を行うことが可能となる。また、複数の音声出力端子を用いることにより、異なる美容施術を並行して行うことも可能となる。
【００３０】
また、上述した各種指示を受け付ける入力手段４１と、入力された内容を表示する出力手段４２とは、例えばタッチパネル等によって構成されても良い。
【００３１】
記録手段４３は、例えば、ユーザ情報や、イオン導入等の施術内容、施術時間等を記録する。また、記録手段４３は、必要に応じて記録されている各種データを読み出すことができる。また、記録手段４３は、各種オーディオファイルや、波形生成手段４８により生成した波形、出力結果（ログ情報）等を蓄積しても良い。
【００３２】
信号発生手段４４は、波形生成手段４８と波形出力手段４９とを有するように構成され、ステレオ信号を発生し、出力手段４２から出力する。
【００３３】
波形生成手段４８は、オーディオファイル等から、互いに逆相関係となる２つの信号波形を生成する。波形生成手段４８は、例えば、互いに逆相関係となる２つの信号波形として、イヤホン端子等から出力されるＬ信号及びＲ信号の波形を生成する。なお、逆相関係となる２つの信号波形は、Ｌ信号を基準に逆相のＲ信号を生成しても良く、Ｒ信号を基準に逆相のＬ信号を生成してもよい。
【００３４】
波形生成手段４８は、例えば、「ＹＡＭＡＨＡ  Ｗａｖｅ  Ｅｄｉｔｏｒ  ＴＷＥ  Ｖ２．３．１」等を用いて作成されたｗａｖ（ＷＡＶＥ）ファイル、ＡＩＦＦ、ｍｐ３、ｍｐ４、ＷＭＡ、ＡＡＣ、ＲｅａｌＡｕｄｉｏ、ＭＩＤＩ等のオーディオファイルのうち、少なくとも１つを用いて、上述した信号波形を生成すると良い。なお、波形生成手段４８により生成されるＬ信号及びＲ信号の波形については後述する。
【００３５】
波形出力手段４９は、波形生成手段４８により生成されたＬ信号及びＲ信号の波形を出力手段４２から出力する。なお、波形出力手段４９は、予め波形生成手段４８等により生成された波形を記録手段４３から取得し、ユーザの要求に応じて出力させても良い。
【００３６】
画面生成手段４５は、例えばユーザに施術内容を入力させるためのメニュー画面や、施術内容、施術経過、施術結果等を表示する画面等を生成する。
【００３７】
ネットワーク接続手段４６は、美容機器１０で得られた施術結果等を外部装置に出力する。
【００３８】
制御手段４７は、美容機器１０の各構成部全体の制御を行う。例えば、制御手段４７は、ユーザ等からの指示等に基づいて、信号発生手段４４によりステレオ信号を生成し、生成したステレオ信号を出力手段４２から出力させ、美容施術手段３０により美容施術を行わせる等の各制御を行う。
【００３９】
美容施術手段３０は、信号発生手段４４により発生したステレオ信号を用いて美容施術を行う。例えば、美容施術手段３０は、波形出力手段４９により出力手段４２から出力されたＬ信号とＲ信号との差分の信号により、イオン導入等の美容施術を行う。
【００４０】
ここで、美容施術手段３０により用いられるＬ信号及びＲ信号は、互いに逆相関係となる波形により生成されているため、例えば、カーボンシート電極３３Ａ及びカーボンシート電極３３Ｂ間において相対的な電圧差を生じることとなる。これにより、皮膚４０にかかる電圧を、例えば、Ｌ信号又はＲ信号の電圧値に対して倍にすることが可能となる。
【００４１】
なお、本実施形態では、信号発生手段４４により発生するステレオ信号を、美容施術手段３０において用いるだけでなく、例えば磁気や振動等を出力するマッサージ器や音声出力器等、ユーザの人体やその他の誘導体等に何らかの信号を与える形態にも広く適用しても良い。
【００４２】
＜情報処理手段２０のハードウェア構成＞
次に、図３を用いて、上述した情報処理手段２０を実現するハードウェア構成について説明する。図３は、情報処理手段を実現するハードウェア構成の一例を示す図である。
【００４３】
図３に示すように、情報処理手段２０は、それぞれバスＢで相互に接続されている入力装置５１と、出力装置５２と、ドライブ装置５３と、補助記憶装置５４と、メモリ装置５５と、演算処理装置（ＣＰＵ）５６と、ネットワーク接続装置５７と、記録媒体５８とを有するように構成される。
【００４４】
入力装置５１は、ユーザが操作するキーボード、マウス等のポインティングデバイスや、ユーザが操作するタッチパネル等からなり、ユーザからの情報処理プログラムの実行等、様々な操作指示を入力するために用いられる。
【００４５】
出力装置５２は、本発明における処理を行うためのコンピュータ本体を操作するのに必要な各種ウィンドウやデータ等を表示するディスプレイ等を有し、ＣＰＵ５６が有する制御プログラムにより情報処理プログラム等の実行経過や結果等を表示する。また、出力手段５２は、スピーカーやイヤホン等に音声を出力するための音声出力端子（イヤホン端子、オーディオ端子）等からなり、音声等を出力する。
【００４６】
情報処理プログラム等の実行プログラムは、ＣＤ−ＲＯＭ等の記録媒体５８によって提供される。記録媒体５８は、ドライブ装置５３にセットされ、記録媒体５８に含まれる実行プログラムは、記録媒体５８からドライブ装置５３を介して補助記憶装置５４にインストールされる。
【００４７】
なお、プログラムを記録した記録媒体５８は、ＣＤ−ＲＯＭ、フレキシブルディスク、光磁気ディスク（ＭＯ）等の様に情報を光学的、電気的或いは磁気的に記録する記録媒体、又はＲＯＭ、フラッシュメモリ等の様に情報を電気的に記録する半導体メモリ等、様々なタイプの記録媒体を用いることが可能である。
【００４８】
補助記憶装置５４は、ハードディスク等のストレージ手段であり、情報処理プログラム等の実行プログラムや、コンピュータに設けられた制御プログラム、そのプログラムの処理に必要な各種ファイル、各種データ等を蓄積し、必要に応じて入出力を行う。
【００４９】
メモリ装置５５は、ＣＰＵ５６により補助記憶装置５４から読み出された実行プログラム等を格納する。なお、メモリ装置５５は、ＲＯＭやＲＡＭ等からなる。
【００５０】
ＣＰＵ５６は、ＯＳ等の制御プログラム、メモリ装置５５に格納されている情報処理プログラム等の実行プログラムに基づいて、各種演算や各ハードウェア構成部とのデータの入出力等、コンピュータ全体の処理を制御して各処理を実現する。また、プログラムの実行中に必要な各種情報は、補助記憶装置５４から取得し、また格納する。
【００５１】
ネットワーク接続装置５７は、通信ネットワークやケーブル等で接続されている他の端末装置等とのデータの送受信を行う。具体的には、ネットワーク接続装置５７は、他の端末装置等から、情報処理プログラム等の実行プログラムを取得したり、プログラムを実行することで得られた実行結果又は情報処理プログラム等の実行プログラム自体を他の端末装置に提供したりする。
【００５２】
本実施形態では、上述したハードウェア構成により、特別な構成を必要とせず、低コストで効率的に情報処理を実現することができる。また、プログラムをインストールすることにより本実施形態に係る情報処理を容易に実現することができる。
【００５３】
＜オーディオファイルのステレオ信号について＞
次に、図４を用いて、上述した美容施術のためのステレオ信号を出力するオーディオファイルについて説明する。図４は、オーディオファイルのステレオ信号について説明するための図である。
【００５４】
図４（Ａ）に示すように、例えば美容クリニック等のイオン導入の施術で用いられる波形は、例えば、周波数が３［ｋＨｚ］、Ｄｕｔｙ比０．５のパルス直流型である。
【００５５】
そこで、例えば波形生成手段４８は、図４（Ａ）に示す波形を、図４（Ｂ）に示すようなオーディオファイルとして生成する。
【００５６】
図４（Ｃ）は、オーディオファイルから作成されたＬ信号又はＲ信号の波形の一例を示したものである。本実施形態では、上述の波形を作成したオーディオファイルを情報処理手段２０等において再生することにより、電極パッド３１の電極３３から図４（Ｃ）に示すような波形をＬ信号又はＲ信号として出力する。
【００５７】
＜オーディオファイルの作成手順＞
次に、図５を用いて、上述した直流矩形波を有するオーディオファイルのＬ信号又はＲ信号の作成手順について説明する。図５は、オーディオファイルの作成手順の一例を説明するための図である。
【００５８】
例えば、波形生成手段４８は、「ＹＡＭＡＨＡ  Ｗａｖｅ  Ｅｄｉｔｏｒ  ＴＷＥ  Ｖ２．３．１」を用いて、美容施術の内容に対応するオーディオファイルを作成する。
【００５９】
上述したように、例えばイオン導入に用いられるオーディオファイルのＬ信号又はＲ信号の波形は、周波数が数ｋＨｚの直流矩形波である。一方、図５（Ａ）に示すように、「ＹＡＭＡＨＡ  Ｗａｖｅ  Ｅｄｉｔｏｒ  ＴＷＥ  Ｖ２．３．１」を用いて作成される矩形波は、交流矩形波である。
【００６０】
そこで、波形生成手段４８は、上述した直流矩形波を作成するため、始めに、例えば３ｋＨｚ等の所定周波数の矩形波を作成する。次に、波形生成手段４８は、例えば１Ｈｚ等の低周波の矩形波を作成して、３ｋＨｚで作成した矩形波と、１Ｈｚで作成した矩形波を足し合わせる。この操作によって、図５（Ｂ）に示すように、例えば３ｋＨｚの直流矩形波が、１Ｈｚの周波数でプラスマイナスを切り替える波形が作成される。
【００６１】
次に、図５（Ｂ）の波形の中で、プラス側（あるいはマイナス側）の直流矩形波の部分を切り取る。また、切り取った直流矩形波を所定回数、繰り返した波形（すなわちファイル）を作成する。これにより、図５（Ｃ）に示すように、所定回数、直流矩形波が繰り返されるファイルが出力信号として作成される。
【００６２】
なお、本実施形態では、図５（Ｃ）に示す直流矩形波が作成されたオーディオファイルの長さは、例えば１０〜３０［分］等の通常イオン導入で用いられている施術時間に自由に設定する。この場合、例えば長めに作成したオーディオファイルを施術の途中で切るような設定としても良く、短く作成したオーディオファイルを繰り返し再生しても良い。
【００６３】
また、波形生成手段４８は、図５（Ｃ）に示す直流矩形波を有するオーディオファイルを、ｗａｖファイルにより作成したが、「ＹＡＭＡＨＡ  Ｗａｖｅ  Ｅｄｉｔｏｒ  ＴＷＥ  Ｖ２．３．１」以外にも、「ＳＯＵＮＤ  ＦＯＲＧＥ  ＡＵＤＩＯ  ＳＴＵＤＩＯ（ＳＯＮＹ）」、「ＳＯＵＮＤ  ＩＴ！」、「ＳＯＵＮＤ  ＢＯＯＴＨ（登録商標）  ＣＳ４（Ａｄｏｂｅ）」等の波形編集用のソフトウェアを用いて同様のファイルを作成しても良い。
【００６４】
＜Ｌ信号及びＲ信号の一例＞
次に、図６を用いて、波形生成手段４８により生成されるＬ信号及びＲ信号が交流矩形波の場合について説明する。図６は、交流矩形波の場合に皮膚を介して各電極に生じる出力電圧について説明するための図である。
【００６５】
なお、図６（Ａ）及び図６（Ｂ）は、波形生成手段により生成される交流矩形波のＬ信号及びＲ信号を示す図である。また、図６（Ｃ）は、図６（Ａ）に示す波形により得られるＬ−Ｒ間の出力電圧を示す図であり、図６（Ｄ）は、図６（Ｂ）に示す波形により得られるＬ−Ｒ間の出力電圧を示す図である。
【００６６】
図６（Ａ）に示すように、波形生成手段４８は、図６（Ａ）に示すＬ信号に対して、Ｒ信号の波形を逆相関係となるように生成する。また、図６（Ｂ）に示すように、波形生成手段４８は、図６（Ｂ）に示すＬ信号に対して、Ｒ信号の波形を逆相関係となるように生成する。
【００６７】
このように生成されたＬ信号及びＲ信号が、カーボンシート電極３３Ａ及びカーボンシート電極３３Ｂにそれぞれ供給されると、例えば、カーボンシート電極３３Ａ及びカーボンシート電極３３Ｂ間に相対的な電圧差が生じることとなる。すなわち、皮膚４０を介して各電極３３間には、例えば図６（Ｃ）又は図６（Ｄ）に示すような出力電圧が生じることとなる。
【００６８】
したがって、例えば予め規格等により情報処理装置から出力される信号の電圧値等に制限が設けられている場合でも、例えば出力電圧を２倍まで増加させることが可能となる。
【００６９】
＜Ｌ信号及びＲ信号の他の例＞
次に、図７を用いて、波形生成手段４８により生成されるＬ信号及びＲ信号が直流の場合について説明する。図７は、直流の場合に皮膚を介して各電極に生じる出力電圧を説明するための図である。
【００７０】
なお、図７（Ａ）及び図７（Ｂ）は、波形生成手段により生成される直流のＬ信号及びＲ信号を示す図である。また、図７（Ｃ）は、図７（Ａ）及び図７（Ｂ）に示す各信号により得られるＬ−Ｒ間の出力電圧を示す図である。
【００７１】
図７（Ａ）及び図７（Ｂ）に示すように、波形生成手段４８は、図７（Ａ）に示すＬ信号に対して、Ｒ信号の波形を逆相となるように生成する。
【００７２】
このように生成されたＬ信号及びＲ信号が、カーボンシート電極３３Ａ及びカーボンシート電極３３Ｂにそれぞれ供給されると、例えば、皮膚４０を介してカーボンシート電極３３Ａ及びカーボンシート電極３３Ｂ間に、図７（Ｃ）に示すような出力電圧が生じることとなる。
【００７３】
上述したように、本実施形態によれば、２つの逆相関係となる波形を用いることにより、手軽に美容施術等に使用する電圧を増加させることを可能とする。
【００７４】
＜その他の実施形態＞
ここで、上述した本実施形態における信号の電圧値を増加させる手法は、上述した例えばｉＰｈｏｎｅ、スマートフォン等の携帯電話、ＰＤＡ、ｉＰｏｄ、ｉＰａｄ等のＰＤや、ＰＣ等の情報処理装置等を上述した美容機器として使用することに限定されるものではなく、広く応用させることが可能である。例えば、上述した情報処理装置を、温冷機器、ＬＥＤ治療機器、振動機器、肌診断装置として利用したり、上述したオーディオ端子を用いる他、専用のプラグ端子等を用いて他の機器に接続して用いたりしても良い。
【００７５】
以上、本発明の好ましい実施例について詳述したが、本発明に係る特定の実施形態に限定されるものではなく、特許請求の範囲に記載された本発明の要旨の範囲内において、種々の変形、変更が可能である。
【符号の説明】
【００７６】
１０  美容機器
２０  情報処理手段
３０  美容施術手段
３１  電極パッド
３２  マスク
３３  カーボンシート電極
３４  オーディオケーブル
４０  皮膚
４１  入力手段
４２  出力手段
４３  記録手段
４４  信号発生手段
４５  画面生成手段
４６  ネットワーク接続手段
４７  制御手段
４８  信号生成手段
４９  波形出力手段
５１  入力装置
５２  出力装置
５３  ドライブ装置
５４  補助記憶装置
５５  メモリ装置
５６  ＣＰＵ
５７  ネットワーク接続装置
５８  記録媒体
【図１】
2013099478.tif 000003
【図２】
2013099478.tif 000004
【図３】
2013099478.tif 000005
【図４】
2013099478.tif 000006
【図５】
2013099478.tif 000007
【図６】
2013099478.tif 000008
【図７】
2013099478.tif 000009
【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
ステレオ信号を発生させる信号発生手段と、前記信号発生手段により発生したステレオ信号を用いて美容施術を行う美容施術手段とを有する美容機器であって、
前記信号発生手段は、
互いに逆相関係となる右信号及び左信号の波形を生成する波形生成手段と、
前記波形生成手段により生成された波形を端子から出力する波形出力手段とを有することを特徴とする美容機器。
【請求項２】
前記美容施術手段は、
前記波形出力手段から出力された右信号と左信号との差分の信号により所定の美容施術を行うことを特徴とする請求項１に記載の美容機器。
【請求項３】
前記波形生成手段は、
オーディオファイルから前記右信号及び左信号の波形を生成することを特徴とする請求項１又は２に記載の美容機器。
【請求項４】
前記所定の美容施術は、イオン導入を含むことを特徴とする請求項２に記載の美容機器。
【請求項５】
ステレオ信号を発生させる信号発生手段と、前記信号発生手段により発生したステレオ信号を用いて美容施術を行う美容施術手段とを有する美容機器における美容方法であって、
前記信号発生手段が、
互いに逆相関係となる右信号及び左信号の波形を生成する波形生成手順と、
前記波形生成手順により生成された波形を端子から出力する波形出力手順とを有することを特徴とする美容方法。
【請求項６】
前記美容施術手段が、
前記波形出力手順で出力された右信号と左信号との差分の信号により所定の美容施術を行うことを特徴とする請求項５に記載の美容方法。
【請求項７】
前記波形生成手順は、
オーディオファイルから前記右信号及び左信号の波形を生成することを特徴とする請求項５又は６に記載の美容方法。
【請求項８】
前記所定の美容施術は、イオン導入を含むことを特徴とする請求項６に記載の美容方法。
【請求項９】
ステレオ信号を発生させる信号発生手段を有し、前記信号発生手段により発生したステレオ信号を出力する情報処理装置であって、
前記信号発生手段は、
互いに逆相関係となる右信号及び左信号の波形を生成する波形生成手段と、
前記波形生成手段により生成された波形を端子から出力する波形出力手段とを有することを特徴とする情報処理装置。
【請求項１０】
前記波形生成手段は、
オーディオファイルから前記右信号及び左信号の波形を生成することを特徴とする請求項９に記載の情報処理装置。
【請求項１１】
コンピュータを、
請求項９又は１０に記載された情報処理装置が有する各手段として機能させるための情報処理プログラム。
【手続補正２】
【補正対象書類名】明細書
【補正対象項目名】００１０
【補正方法】変更
【補正の内容】
【００１０】
また、本発明は、ステレオ信号を発生させる信号発生手段と、前記信号発生手段により発生したステレオ信号を用いて美容施術を行う美容施術手段とを有する美容機器における美容方法であって、前記信号発生手段が、互いに逆相関係となる右信号及び左信号の波形を生成する波形生成手順と、前記波形生成手順により生成された波形を端子から出力する波形出力手順とを有することを特徴とする。